(57)【要約】【課題】二以上の異なる電圧を供給可能であって、熱を発生させずに簡単に製造できる携帯電話用の臨時電源の提供を課題とし、更に多用されている乾電池を用いることができる共に必要電圧等に応じてケーシング内の装着乾電池の本数を調整することができ、効率的に乾電池を使用することの可能な携帯電話用の臨時電源の提供を課題とする。【解決手段】乾電池を少なくとも４本以上用いた電源  １からなる給電回路を有する着脱自在な携帯電話用の臨時電源であって、該電源  １からなる給電回路により給電を行なえ、該電源の乾電池の内の少なくとも１本以上を切り離し可能であり、前記切り離しにより切り離された残りの乾電池を用いた電源  １によっても給電回路を構成でき、給電可能である着脱自在な携帯電話用の臨時電源によって達成できる。【選択図】    図１
2004187467.tif 000002
【特許請求の範囲】
【請求項１】
乾電池を少なくとも４本以上用いた電源  １からなる給電回路を有する着脱自在な携帯電話用の臨時電源であって、
該電源  １からなる給電回路により給電を行なえると共に、
該電源の乾電池の内の少なくとも１本以上を切り離し可能であり、
前記切り離しにより切り離された残りの乾電池を用いた電源  １によっても給電回路を構成でき、給電可能であることを特徴とする着脱自在な携帯電話用の臨時電源。
【請求項２】
前記給電回路の該電源  １の乾電池の内の少なくとも１本以上の切り離しはスイッチ  ２を用いて切り離すことを特徴とする請求項１記載の携帯電話用の臨時電源。
【請求項３】
前記スイッチ  ２の操作部をケーシングの表面に配設して手動にて切り替え可能としたことを特徴とする請求項２記載の携帯電話用の臨時電源。
【請求項４】
少なくともケーシング内に配設する乾電池と、乾電池の両端子に接し電圧を供給する端子係止部と、端子係止部に連接して電圧を供給する給電回路を有する携帯電話用の臨時電源であって、
前記切り離すべき少なくとも１本以上の乾電池の両端子に連接する少なくとも一の端子係止部が乾電池の挿入に伴い位置移動し、
位置移動する端子係止部に乾電池を挿入することにより、位置移動した端子係止部が給電回路と導通して電圧を供給し、
位置移動する端子係止部の乾電池を除去することにより、位置移動した端子係止部が給電回路と切り離されるスイッチ  ２を有することを特徴とする請求項２記載の携帯電話用の臨時電源。
【請求項５】
前記給電回路の該電源  １の乾電池の内の少なくとも１本以上の切り離しは、
他の乾電池を有する第一の給電回路  ３と、切り離すべき少なくとも１本以上の乾電池を有する第二の給電回路  ４とを連接し、両者間にダイオード  ５を有する給電回路を有し、
第二の給電回路  ４の乾電池を除去した場合にはダイオード５１により第一の給電回路  ３からの電源を供給し、
第二の給電回路  ４に乾電池を配設した場合にはダイオード５２により第一の給電回路  ３と第二の給電回路  ４からの電源  １を供給可能としたことを特徴とする請求項１記載の携帯電話用の臨時電源。
【請求項６】
乾電池として、単三の乾電池を用いたことを特徴とする請求項１乃至５のいずれかに記載の携帯電話用の臨時電源。
【請求項７】
乾電池として、単四の乾電池を用いたことを特徴とする請求項１乃至５のいずれかに記載の携帯電話用の臨時電源。
【発明の詳細な説明】
【０００１】
【発明の属する技術分野】
本発明は携帯電話における使用時の内蔵電源の電圧低下、即ち電池容量が減少して携帯電話の使用ができなくなった場合の着脱自在な携帯電話用の臨時電源であって、異なる供給電圧を要求する携帯電話に対応可能な着脱自在な携帯電話用の臨時電源に関する。
【０００２】
【従来の技術】
従来より、携帯電話に関しては、内蔵電源としてリチウムイオン電池のバッテリーが多用されており、一定時間使用後、電圧が低下した場合にはこの内蔵バッテリーを再充電することにより繰り返し使用ができ、長期間の使用に耐え得るものである。
また、外出先での使用が多用されることから、外出先においてリチウムイオン電池のバッテリーの電圧低下が生じた場合には、臨時の電源として携帯電話に接続可能な端子を有するアルカリ乾電池又はマンガン乾電池を内蔵した臨時電源が存在し、多くの店舗にて低価格にて販売しており、この臨時電源を購入して携帯電話に接続し、この臨時電源から電圧を供給することにより携帯電話の使用を可能とできるものである。
【０００３】
例えば、単４乾電池を数本用いた携帯電話用の臨時電源や、角電池を用いた携帯電話用の臨時電源が多用されていた。
これらの携帯電話用の臨時電源に関しては、従来の白黒液晶の携帯電話のバッテリーの電圧に関しては３．５Ｖ乃至４．５Ｖ程度の電圧で足りたことから、この電圧に適合するように用いられたものであるが、通話時間として極めて短時間の使用に耐えることしかできないという欠点を有する。
特に現在多用されている液晶表示部の広い携帯電話やカラー表示の携帯電話等のように使用電力が多くなると、これらの携帯電話用の臨時電源では長くて数分の使用にしか耐えることができず、臨時電源としての効果は一切発揮できないものである。
また角電池を用いた場合にも、電気容量が少なく短時間の使用にしか耐え得ないものである。
【０００４】
【発明が解決しようとする課題】
これに対して、使用電力が多い現在多用されている液晶表示部の広い携帯電話やカラー表示の携帯電話等類は付加機能を多く有する携帯電話に対して長時間の使用に耐え得る携帯電話の臨時電源の提供を図るため出願人が先に提唱する特開２００２−２７６８０号がある。
これは、アルカリ乾電池の単三を４本以上用いた電源を有する給電回路からなる携帯電話用の臨時電源である。
この場合、極めて長時間の使用を可能にすると共に例えばレギュレータやダイオード等を用いて逆流を防止できまた安定的な電圧供給を可能とする。
また、携帯電話の機種や機能により供給電圧が携帯電話により異なるものが存在し、一の携帯電話用の臨時電源により汎用的に全ての機種に適合する電圧を供給することは困難であった。
【０００５】
特に携帯電話に内蔵する保護機能やキャパシティにより携帯電話用の臨時電源の供給電圧と携帯電話の使用電圧の若干の相違は許容可能であるが、その相違が大きくなる場合には携帯電話に負担が掛かり故障の原因や発熱等に繋がりかねず更には、携帯電話用の臨時電源の使用ができない恐れもあった。
携帯電話の使用者は自己の携帯電話に適合する携帯電話用の臨時電源の選別に誤ると使用できない恐れがあり、更に一の携帯電話用の臨時電源により多種の携帯電話に適合する携帯電話用の臨時電源の提供が望まれている。
係る観点から、前記特開２００２−２７６８０号においてもスイッチを有し、このスイッチを切り換えることにより抵抗を有する給電回路との切り替えを可能とし、二種類の供給電圧を提供可能とするものを提唱している。
【０００６】
この場合、例えば単三形式乾電池を４本用いたものであり、その供給電圧は６Ｖであり、ダイオードやレギュレータ等を用いて安定電圧を供給でき、更に電圧を調整した二種類の供給電圧の提供が可能となる。
しかし、回路上抵抗を一定程度用いることが必要となり、携帯電話用の臨時電源自体が熱を帯びる可能性を有する。
また常時単三形式乾電池を４本を用いることとなり経済的ではない。
更に充電用のＡＣアダプターにあっては供給電圧は４．２Ｖ乃至５．８Ｖ程度の電圧を用いており、この供給電圧に適合する少なくとも二種類の供給電圧の提供を可能とすることが望まれている。
また、構造的にも小型の携帯電話用の臨時電源が望まれていると共に低廉かつ簡単に製造できる携帯電話用の臨時電源が望まれている。
係る各種の課題に鑑み何らかの解決策が必要であった。
【０００７】
【課題を解決するための手段】
係る課題を達成するため請求項１に記載の発明は、乾電池を少なくとも４本以上用いた電源からなる給電回路を有する着脱自在な携帯電話用の臨時電源であって、該電源からなる給電回路により給電を行なえると共に、該電源の乾電池の内の少なくとも１本以上を切り離し可能であり、前記切り離しにより切り離された残りの乾電池を用いた電源によっても給電回路を構成でき、給電可能である着脱自在な携帯電話用の臨時電源であり、係る発明によって達成できる。
この場合、請求項２に記載の発明のように給電回路の該電源の乾電池の内の少なくとも１本以上の切り離しはスイッチを用いて切り離す携帯電話用の臨時電源によって、切り離しを可能とする。
また、請求項３に記載の発明のように前記スイッチの操作部をケーシングに表面に配設して手動にて切り替え可能とした携帯電話用の臨時電源により、使用者が簡単に必要電圧に変更できる。
【０００８】
この他、請求項４に記載の発明のように少なくともケーシング内に配設する乾電池と、乾電池の両端子に接し電圧を供給する端子係止部と、端子係止部に連接して電圧を供給する給電回路を有する携帯電話用の臨時電源であって、前記切り離すべき少なくとも１本以上の乾電池の両端子に連接する少なくとも一の端子係止部が乾電池の挿入に伴い位置移動し、位置移動する端子係止部に乾電池を挿入することにより、位置移動した端子係止部が給電回路と導通して電圧を供給し、位置移動する端子係止部の乾電池を除去することにより、位置移動した端子係止部が給電回路と切り離されるスイッチを有する携帯電話用の臨時電源によって、乾電池の出し入れによって簡単に必要供給電圧の調整ができる。
【０００９】
この他請求項５に係る発明のように前記給電回路の該電源の乾電池の内の少なくとも１本以上の切り離しは、他の乾電池からなる第一の給電回路と切り離すべき少なくとも１本以上の乾電池の第二の給電回路とを連接し、両者間にダイオードを有し、第二の給電回路の乾電池を除去した場合にはダイオードにより第一の給電回路からの電源を供給し、第二の給電回路に乾電池を配設した場合にはダイオードにより第一の給電回路と第二の給電回路からの電源を供給可能とした携帯電話用の臨時電源であってもよい。
尚、請求項６に記載の発明のように乾電池として単三乾電池を用いたものであっても、或いは請求項７に記載の発明のように乾電池として単四乾電池を用いたものであってもよい。
【００１０】
【発明の実施の形態】
本発明にかかる基本的な一実施の形態を図１に示す。
図１は、乾電池の単三を４本直列に接続し、合計電圧を６Ｖとした給電回路であり、この内の１本をスイッチ  ２を介して切り離し可能とした回路図である。
このスイッチ  ２の切り替えにより、乾電池の単三を４本直列に接続し、給電可能とした状態と、乾電池の単三を４本の内の一本を切り離し、残りの３本により給電可能とした状態をそれぞれ作り出せる。
また回路上にはヒューズ  ６及びダイオード  ５を有しており、過電流の防止及び電流の逆流を防止している。
またコネクター  ７を有し、このコネクター  ７で携帯電話と着脱自在に連接する。
【００１１】
従って、基本的には乾電池の単三を４本直列に接続して電圧供給する場合には約６Ｖとした給電回路となり、更に残りの３本により電圧供給する場合には約４．５Ｖとした給電回路となる。
現在多用されている携帯電話の充電用のＡＣダプターは、その供給電圧を４．２Ｖ乃至５．８Ｖとしているものであり、それぞれに対して最も的確な供給電圧を供給できる。
特に、携帯電話の供給電圧が約４．５Ｖ程度で足りるものにあっては電池の単三を３本のみ用いればよく、わざわざ４本用いる必要がない。
従って、自己の所有する携帯電話に最も適した本数を内蔵することにより、一の携帯用電話の臨時電源があれば足りることとなる。
従って、使用者側にとっても一の本発明に係る携帯用電話の臨時電源があればいずれの供給電圧を必要とする携帯電話に対処でき、かつ使用乾電池も必要量のみ用いればよいものである。
【００１２】
本図においては、基本として４本の単三乾電池を用い、この内の一本を切り離し可能とした状態を示すが、これに限るものではなく例えば単三乾電池計５本を基本として、その内の一本を切り離し可能とするものであっても、或いは５本の内の２本を切り離し可能とするものであってもよい。
現状においては、最も用いられている携帯電話の充電用の供給電圧は４．２Ｖ乃至５．８Ｖであるが、今後更に必要電圧が高くなる可能性を有する反面、低電圧で充電可能なバッテリーも実現し得るものであり、本発明に関しては、複数本の単三の乾電池を用いる場合にその内の一本以上の乾電池を切り離し可能とするものであればよい。
更には例えば単三乾電池計５本を基本として、その内の一本ずつを二段階で切り離し可能とし、５本での電圧供給、４本での電圧供給、３本での電圧供給の三種類の電圧供給可能なものであってもよい。
【００１３】
もちろん基本を４本とし、４本での電圧供給、３本での電圧供給、２本での電圧供給の三種類の電圧供給可能なものであってももちろんよい。
少なくとも複数本の乾電池を用いており、この内の１本以上を切り離し可能とし、二種類又は複数種類の電圧供給を可能とするものであればよい。
尚、乾電池はアルカリ乾電池の他マンガン乾電池でも、アルカリマンガン乾電池でも、或いはニッケル乾電池やニッケルマンガン乾電池等のいずれの種類の乾電池でよい。
少なくとも複数の乾電池を直列に用いることができ、この内の一以上の乾電池を切り離し可能とするものであればよい。
尚、本図には単三乾電池を明示するが、これに限らず単四乾電池や単二乾電池等の単三乾電池と異なる大きさ乃至は蓄電量の乾電池であってもよい。
また、本図の給電回路の回路図は、一の種類のコネクター  ７を有するものであるが、この他現状多用されている他の種類のコネクター  ８を有している給電回路の回路図を図２に示す。
【００１４】
この図２の基本構成は全く同じであり、スイッチ  ２により一の乾電池を切り離し可能としている。
例えば携帯電話の連接形状に応じて必要なコネクターを選別することにより使用する携帯電話に合致できるものである。
尚、図２にはヒューズは有しておらないが、図１と同様本発明においてはヒューズを有するものであっても、或いは有さないものであってもよい。
また、スイッチ  ２に関しては例えばケーシング表面に操作部を表出させたものでも良く、これで手動での切り替え可能とし、使い勝手の向上を図れる。
このスイッチ  ２と操作部との関係は既存のスイッチ装置であればよい。
スイッチ構成に関しては、前記手動で切り換えるもののほか、例えば乾電池の装着又は非装着によって切り換えるものであってもよい。
即ち、例えばケーシング上において乾電池の装着時に乾電池の端子が接触する端子係止部の構造により、スイッチ機能を有するものとしてもよい。
【００１５】
一例として、切り離し可能の乾電池の装着時の少なくとも一の端子係止部が乾電池装着方向に弾力をもって突出しており、乾電池装着時にはこの端子係止部が弾力に抗して位置移動し、この位置移動により給電回路と導通して電圧を供給可能とし、装着した乾電池により電源回路を構成し、電圧を供給する構造を有するスイッチを有するものであってもよい。
他方、乾電池を除去した場合には端子係止部な掛かる弾力により例えば乾電池装着方向に位置移動し、端子係止部がその他の装着されている乾電池によって給電回路を構成する回路を結線するものであれば一の乾電池を除去した場合でも残余の乾電池によって給電ができることとなる。
これにより、二種類の電圧を乾電池の装着又は非装着によって表出でき、使用する携帯電話に最も適した電圧供給を可能とする。
【００１６】
以上のように、簡単に電圧の調整を可能とすると共に不必要な乾電池は装着する必要がなく、極めて経済的であると共に本発明の携帯用電話の臨時電源も簡単に製造できるものである。
更に単三乾電池を４本用いることにより極めて長時間の携帯電話の使用を可能とするばかりでなく、今後要求される携帯電話の必要電圧にも極めて簡単に適用できるものである。
図３は、スイッチを用いずに乾電池の装着又は取り出すことにより、切り換え可能とする回路の一例を示す図である。
本図において、計４本の乾電池が直列に配置されているが、３本の乾電池から構成する第一の給電回路  ３と、１本の乾電池から構成する第二の給電回路  ４とが連接されており、第一の給電回路  ３と第二の給電回路  ４との間にダイオード５を有しているものである。
【００１７】
即ち、第一の給電回路  ３にのみ乾電池が装着され、第二の給電回路  ４には乾電池が未装着の場合には第一の給電回路  ３の電流がダイオード５１によって流れる。更に、第二の給電回路  ４にも乾電池が装着された場合には計４本の乾電池が直列に配置された結線上のダイオード５２によって流れることとなる。
従って、第二の給電回路  ４の乾電池を装着した場合には計４本の乾電池が電源となり、第二の給電回路  ４に乾電池がない場合には第一の給電回路の計３本の乾電池が電源となる。
以上より、乾電池を必要本数装着することにより、任意の電圧供給を可能とする。
【００１８】
【発明の効果】
１、乾電池の単三を４本以上用いた携帯電話用の臨時電源により消費電力の大きい携帯電話でも極めて長時間の通話を可能とするだけでなく、この内の一本以上の乾電池を切り離して残りの乾電池を電源として用いることができ、乾電池の有効利用を図れると共に複数種類の電圧を一の携帯電話用の臨時電源により供給可能とするという第一の効果を有する。
特に現在の携帯電話の充電アダプターにおいては、その供給電圧を４．２Ｖ乃至５．８Ｖとしており、本携帯電話用の臨時電源の電源として乾電池４本を用い、その内の一本を切り離し可能とすることによって、理論的には６Ｖと４．５Ｖの電圧供給を可能とし、現状の携帯電話に対して最も適した電圧を供給できる。
【００１９】
２、更に将来的に携帯電話の供給電圧がより高くなった場合にも、乾電池の本数を変えることによって適合でき、更に切り離すべき乾電池の本数を任意に設定することにより、必要な切り替え電圧を得ることができ、併せて切り離し可能の乾電池を複数種類設定することにより、複数の電圧供給を一の携帯電話用の臨時電源により達成できることから、極めて応用範囲の広いかつ簡単に製造できる携帯電話用の臨時電源の提供を可能とするという第二の効果を有する。
３、乾電池の切り離しに関して、特に熱を発生する抵抗等を用いるのではなく、乾電池の給電回路の切り替えによって行なうことから安全な携帯電話用の臨時電源の提供を可能とするという第三の効果を有する。
【００２０】
４、乾電池の切り離しに関し、切り替えスイッチの操作部をケーシング表面に配設することにより、手動にて切り替えを可能とし、使い勝手のよい携帯電話用の臨時電源の提供を可能とするという第四の効果を有する。
５、また乾電池の切り離しに関し、ケーシングの端子係止部の移動によって強電回路との導通を可能とすることにより、乾電池の脱着によって電圧供給の切り替えを可能とするという第五の効果を有する。
６、更に第一の給電回路と第二の給電回路を有し、ダイオードにより電流の流れを制御することにより必要な乾電池を配設している給電回路から電圧を供給できるという第六の効果を有する。
【図面の簡単な説明】
【図１】本発明に係る携帯電話用の臨時電源の給電回路の一実施の状態を示す図
【図２】本発明に係る携帯用電話の臨時電源の給電回路の他の一実施の状態を示す図
【図３】本発明に係る携帯用電話の臨時電源の給電回路の他の一実施の状態を示す図
【符号の説明】
１    電源
２    スイッチ
３    第一の給電回路
４    第二の給電回路
５    ダイオード
６    ヒューズ
７    コネクター
８    コネクター
【図１】
2004187467.tif 000003
【図２】
2004187467.tif 000004
【図３】
2004187467.tif 000005